(57)【特許請求の範囲】
【請求項１】
上面に四角形の開口部を有しその開口部の対向する２辺側に持ち手が設けられているレジかごの前記開口部に装着するレジかごカバーであって、
前記レジかごの開口部周縁に装着する外縁部と、レジかごの開口部を覆う上部蓋とを備え、
前記外縁部は、レジかごの開口部周縁を取り巻く柔軟な生地製の環状体であって、上部端と下部端のそれぞれにゴムを通して窄まり方向に付勢し、さらにレジかごの持ち手側に沿う２面の上下幅を狭くすると共に他の２面の上下幅をそれより広く形成してなり、
一方、前記上部蓋は、柔軟な生地製でしかもレジかごの前記開口部を覆い得る形状であって、１辺を前記外縁部のレジかごの非持ち手側に沿う２面のうちの一方に取り付け、そうしてレジかごの開口部に対し開閉可能に形成し、さらに他の辺に前記外縁部に対して着脱自在に仮留めし得る開口部蓋仮留手段を設けてなることを特徴とするレジかごカバー。
【請求項２】
前記外縁部は、上部端にテンションの弱いゴムを通し、下部端にテンションの強いゴムを通したものであることを特徴とする請求項１記載のレジかごカバー。
【請求項３】
前記上部蓋の開口部蓋仮留手段は、前記外縁部に取り付けた１辺を除く３辺のそれぞれに部分的に設けた面ファスナーであり、該面ファスナーが外縁部側に設けた面ファスナーで受け止められるようになっていることを特徴とする請求項１又は２記載のレジかごカバー。
【請求項４】
前記上部蓋にレシート等の販売証明書を入れるためのクリアポケットを備えてなることを特徴とする請求項１乃至３の何れか１項に記載のレジかごカバー。
【発明の詳細な説明】
【技術分野】
【０００１】
この発明は、個人用の買い物籠として使用するレジかごに装着し、そのレジかごの開口部に蓋をするためのレジかごカバーに関する。
【背景技術】
【０００２】
近年、ごみの減量化およびＣＯ２ 排出量削減の提唱により、買い物客に対して無償で配布していたレジ袋を有料化する動きがある。すでに有料化されている地域もあり、その地域に於いては購入後、持参のいわゆるマイバッグに移し替える、もしくはレジ袋を購入し移し替える必要がある。
その他の手段の一つとして店のレジかごと同じ形状にした個人用のレジかごがある。
現在ではスーパーを利用するほとんどの客がこの３種類の使用方法のいずれかに当てはまる。
【０００３】
この中でも個人用のレジかごを使用する場合、レジにて個人用のレジかごを店員に預ければ、金額を読み取った商品を直接個人用のレジかごに移動させてくれるため為、袋等に移し替える手間がなく大変利便性が高い。
【０００４】
しかしながら、個人用のレジかごによる商品購入後は、現在、図９のように販売証明として簡易的な細い帯状の紙をテープで留めているだけで、食材など購入した商品が露出しているため、衛生上や周囲の視線が気になって他の店舗に入り難く、また、購入した内容物を不特定多数に知られることとなり、特にエレベータ内など至近距離で見られる事においては、かなりの不快感が伴う。
【０００５】
それに加え、買い足しに販売エリアに戻る場合、購入商品が露出していると、支払いの確認が取り辛く誤解を招く恐れがあるため躊躇される。また、近年、多店舗複合型の大型ショッピングセンターも多く見られるようになっており、このような施設内の複数店舗に出入りする場合も同様の理由で躊躇される。
【０００６】
また、個人用のレジかごで購入後の販売証明として紙製の細長い帯をテープでとめていたのでは、その紙の帯とテープがゴミになるため、ゴミの減量化およびＣＯ２ 排出量削減への取り組みにとってマイナスである。
【０００７】
そこで、特許文献１〜３のレジかごカバーを個人用のレジかごに装着して使用することが考えられる。これらのレジかごカバーは何れも個人用のレジかごに装着し、上部の開口部を閉じることができるため、袋等に入れたと同様な効果が得られるものと思われる。
【先行技術文献】
【特許文献】
【０００８】
【特許文献１】特開２００７−００７２３５号公報
【特許文献２】実登３１４５５９２号公報
【特許文献３】実登３１３２２４２号公報
【発明の概要】
【発明が解決しようとする課題】
【０００９】
個人用のレジかごで買い物をする場合、かごの容量の１００パーセントを超える量を購入する場合も考えなくてはならない。
しかし特許文献１〜３のレジかごカバーは、内容量によってカバー自体を調節する機能が無く、購入した商品がかご上部から越えるような時には蓋をする事が容易でないか、もしくは蓋を閉めること自体が不可能となる。
【００１０】
また、特許文献２においては、装着の際にレジかごの持ち手を外す必要があり、簡単に着脱できるものではないことはもちろん、レジかごの持ち手を何度も取り外しすること自体現実的ではない。
【００１１】
また、特許文献３のように完全に蓋をするとなれば長尺の内容物（ごぼうや大根など）を入れることが不可能となる。
それに加え、この特許文献３においては、レジかごカバーをレジかごと別にもっていかなくてはならない。レジかごカバーをレジかごとは別に管理する必要がある上、会計後鞄等からレジかごカバーを取り出し装着するとなっては手間・時間共に無駄が多い。
【００１２】
この発明は、上記に鑑みなされたもので、その目的は、個人用のレジかご上部に内容量により調節可能で、かつ、装着したまま蓋だけを開閉することができ、着脱可能でファッション性に富んだレジかごカバーを提供することにある。
【課題を解決するための手段】
【００１３】
上記目的を達成するため本発明は、上面に四角形の開口部を有しその開口部の対向する２辺側に持ち手が設けられているレジかごの前記開口部に装着するレジかごカバーであって、
前記レジかごの開口部周縁に装着する外縁部と、レジかごの開口部を覆う上部蓋とを備え、
前記外縁部は、レジかごの開口部周縁を取り巻く柔軟な生地製の環状体であって、上部端と下部端のそれぞれにゴムを通して窄まり方向に付勢し、さらにレジかごの持ち手側に沿う２面の上下幅を狭くすると共に他の２面の上下幅をそれより広く形成してなり、
一方、前記上部蓋は、柔軟な生地製でしかもレジかごの前記開口部を覆い得る形状であって、１辺を前記外縁部のレジかごの非持ち手側に沿う２面のうちの一方に取り付け、そうしてレジかごの開口部に対し開閉可能に形成し、さらに他の辺に前記外縁部に対して着脱自在に仮留めし得る開口部蓋仮留手段を設けてなるレジかごカバーを提供する。
【００１４】
また、請求項２に記載したように、前記外縁部は、上部端にテンションの弱いゴムを通し、下部端にテンションの強いゴムを通したものであるレジかごカバーを提供する。
【００１５】
また、請求項３に記載したように、前記上部蓋の開口部蓋仮留手段は、前記外縁部に取り付けた１辺を除く３辺のそれぞれに部分的に設けた面ファスナーであり、該面ファスナーが外縁部側に設けた面ファスナーで受け止められるようになっているレジかごカバーを提供する。
【００１６】
また、請求項４に記載したように、前記上部蓋にレシート等の販売証明書を入れるためのクリアポケットを備えてなるレジかごカバーを提供する。
【発明の効果】
【００１７】
レジかごに本発明のレジかごカバーを取り付けることによって、プライバシーが保護されることはもちろん、衛生上、防犯上の利点もある。なおかつ上部蓋をすることで店側もしくは他の買い物客に対して支払い済みであることを一目で認識させることが出来る。これにより、他の売り場への立ち入りに気を使わなくても良くなる。追加購入の場合、店側も支払い前の商品と支払い後の商品の区別が付きやすい。
【００１８】
また、レジかごから溢れるほど購入した場合も、外縁部を引き上げて内容物の増加に追従し対応する事が可能なため、はみ出すことなく全て覆うことができる。
【００１９】
また、外縁部の上下幅を、レジかごに沿う４面のうちのレジかごの持ち手部分が付属されている面に沿う２面について狭くし、付属されていない面に沿う２面について広くした事により、広い上下幅である非持ち手側の面がレジかごの縁から開口部上に深く被さるためレジかごとよりフィットし、高さを変えた場合も内容物をより安定して保持することができる。
【００２０】
また、店側もレジかごだけの場合は販売証明の帯をテープで留めていたが、レジかごカバーを装着することでその手間を省く事ができると共に個人用のレジかごのエコロジー度をより高めることができる。
【００２１】
また、請求項２に記載のレジかごカバーのように、外縁部の上部端のゴムのテンションを弱くすることにより、内容物を入れた際、柔らかなものでも崩さず安定してレジかごを運ぶことができ、一方、下部端のゴムのテンションを強くすることにより、上部蓋を開閉した際、外縁部が不用意にレジかごから外れることを防止する。
【００２２】
また、請求項３に記載したように、前記上部蓋の開口部蓋仮留手段を、外縁部に取り付けた１辺を除く３辺のそれぞれに部分的に設けた面ファスナーとしたことにより、長尺の内容物をサイドの隙間からはみ出させることが出来るから、ほぼ開口部全体を覆うことが可能である。
【００２３】
また、請求項４のように上部蓋にクリアポケットを設け、そのクリアポケットにレシートや販売証明等を入れることにより、支払い確認が一目でできる。
【図面の簡単な説明】
【００２４】
【図１】レジかごにレジかごカバーを装着して上部蓋を開いた状態を示す斜視図である。
【図２】上部蓋の展開図である。
【図３】外縁部の展開図である。
【図４】外縁部に上部蓋を取り付けた状態の一部展開図である。
【図５】レジかごにレジかごカバーを装着した状態を示す正面図である。
【図６】図５のレジかごカバーを引き上げた状態を示す正面図である。
【図７】レジかごにレジかごカバーを装着して上部蓋を閉じた状態を示す斜視図である。
【図８】レジかごカバーの上部蓋を丸めて収納した状態を示す斜視図である。
【図９】従来の個人用のレジかごの販売証明状態を示す斜視図である。
【発明を実施するための形態】
【００２５】
以下、本発明を実施するための形態について図を用いて説明する。
本発明のレジかごカバーは、上面に四角形の開口部を有しその開口部の対向する２辺側に持ち手が設けられているレジかごの前記開口部に装着するものであって、前記レジかごの開口部周縁に装着する外縁部１と、レジかごの開口部を覆う上部蓋７とを備えている。
【００２６】
レジかごカバーは、撥水性を有する柔軟な生地であるナイロンまたはポリエステル製にするとよい。これらは、色・柄等が無数に選べるため、ファッション性がありながら安価に提供することが可能であり、また、生地が柔軟であるため小さく折りたたむことも可能である。そしてさらに、洗濯が可能であるため清潔に保つことができる。
【００２７】
前記外縁部１は、レジかごの開口部周縁を取り巻くように前記生地を環状にしたものであって、内容物の増減により高さが調節可能になるように上下方向に幅が設けられており、上部端にテンションの弱いゴム２が通され、下部端にテンションの強いゴム３が通されている。このように外縁部１の上下にこの２本のゴム２，３を通すことによって、図１のようにレジかごの開口部周縁に装着・保持される。
【００２８】
なお、前記のように外縁部１の上部端のゴム２のテンションを弱くすることでやわらかい食材に触れても当たりが柔らかく、また、別の例えば店用のレジかごを上に重ねて使う場合も邪魔にならず重ねることができる。一方、外縁部１の下部端のゴム３のテンションを強くすることで、上部蓋７の開閉時に不用意に外れてしまうことが防ぎ得る。
【００２９】
外縁部１は、図３に示したように、レジかごに装着した際、レジかごに沿う４面のうちのレジかごの持ち手部分が付属されている面に沿う２面５，５の上下幅を狭くし、持ち手部分が付属されていない面に沿う２面４，４の上下幅を広くしてある。そうすることにより、図１に示したように、広い上下幅である非持ち手側の面４，４がレジかごの縁から開口部側に深く被さるためレジかごとよりフィットし、高さを変えた場合も内容物をより安定して保持することができる。
【００３０】
前記上部蓋７は、レジかごの開口部を覆い得る形状であって、１辺を前記外縁部１のレジかごの非持ち手側に沿う２面４，４のうちの一方に取り付け、そうしてレジかごの開口部に対し開閉可能に形成し、さらに他の辺に前記外縁部１に対して着脱自在に仮留めし得る開口部蓋仮留手段を設けてなる。
【００３１】
この上部蓋７には、３箇所の羽部８Ａ，８Ｂ，８Ｃが設けられ、その羽部８Ａ，８Ｂ，８Ｃのそれぞれに前記開口部蓋仮留手段として雄型の面ファスナー８ａ，８ｂ，８ｃが設けられている。一方、前記外縁部１には、この上部蓋７の面ファスナー８ａ，８ｂ，８ｃを受けるため雌型の面ファスナー９ａ，９ｂ，９ｃが設けられている。
【００３２】
さらにまた上部蓋７には、レシートや販売証明等を入れることができるクリアポケット１０が設けられ、また、自由端の中央に引き紐１１が突設されている。
【００３３】
本発明のレジかごカバーは以上の構成であるため、外縁部１のゴム２，３を手で伸ばして拡げつつ、開口部側からレジかごの開口部周縁に被せて手を離す。そうするとゴム３が縮んで図１のように外縁部１の下部端でレジかごの側面上部を締めて取り付き、一方、ゴム２が縮んで外縁部１の上部端がレジかごの開口部上面に張り出して被さる。もちろんレジかごの持ち手部側では、図１に示したようにその持ち手が邪魔するため外縁部１の上部端はレジかごの開口部上面に被さらないが、前記のように外縁部１の面４，４の上下幅を大きくしたため、図１に示したようにその面４，４がレジかごの開口部上面に深く被さって安定する。
そして、レジかごに内容物を入れる前は上部蓋７をレジかごの外側に垂らして開けておき、内容物を入れてから上部蓋７をレジかごの開口部上面に被せて羽部８Ａ，８Ｂ，８Ｃに設けた面ファスナー８ａ，８ｂ，８ｃを外縁部１に留める。その後、好ましくは上部蓋７に設けたクリアポケットにレシートや販売証明等を入れておくことにより、支払い確認が一目でできる。
なお、上部蓋７は、図８のように、畳んでレジかごと外縁部１の生地の上下のゴム２，３の間に保持収納しておくこともできる。その場合、上部蓋７を使用する時は、自由端の中央に突設した引き紐１１を使って引き出せばよい。
【００３４】
図５は、レジかごカバー全体が下がっている状態を示したものであり、購入した内容物が少ない場合に対応する。一方、図６は、図５の状態からレジかごカバー全体を引き上げた状態を示したものであり、購入した内容物が多い場合に対応する。この２つの図が示すように内容物の増減にもレジかごカバーを追従させて上部蓋７を閉めることが出来るため、内容物を安定して持ち運ぶことが可能である。
【００３５】
また、上記と逆の手順を実行すれば外縁部１が簡単に取り外せるため、汚れた時などは取り外して洗濯することができる。
【符号の説明】
【００３６】
１ …外縁部
２ …上部端のゴム
３ …下部端のゴム
４，４ …外縁部の幅広の面
５，５ …外縁部の幅狭の面
７ …上部蓋
８ａ，８ｂ，８ｃ …面ファスナー（開口部蓋仮留手段）
１０ …クリアポケット
【要約】
【課題】購入商品を安定かつ衛生的に運べ、かつプライバシーが守られ、内容量の
増減にかかわらず、迅速に蓋が開閉でき、販売確認が容易な安価なカバーを提供
する。
【解決手段】レジかご上部の開口部に装着するカバーであって、撥水性で柔軟、か
つ洗濯できる生地からなるカバー本体で、開口部を覆うための上部蓋（７）、また
上部蓋を仮留めするための羽部（８ＡＢＣ）の面ファスナー雄（８ａｂｃ）と外
縁部面ファスナー雌（９ａｂｃ）からなる開口部開閉手段と開口部蓋仮留め手段。
かつ、カバー全体の可動装着手段（図５、図６）と外縁部上部ゴムによる内容物
保持手段と、カバー本体の固定装着手段と正位置に装着する手段。それに加えク
リアポケット（１０）を備えた支払確認認識手段を有する構造からなるレジかご
カバーである。
【選択図】図１【図１】
0004349594.tif 000002
【図２】
0004349594.tif 000003
【図３】
0004349594.tif 000004
【図４】
0004349594.tif 000005
【図５】
0004349594.tif 000006
【図６】
0004349594.tif 000007
【図７】
0004349594.tif 000008
【図８】
0004349594.tif 000009
【図９】
0004349594.tif 000010